(57)【要約】【課題】残存杭引抜きの成功率を向上させる。【解決手段】ケーシングスクリュー５下端部にワイヤロープ６の輪部１５を保持させ、保持を解放する手段を備え、地中残存杭１４にケーシングスクリューを嵌合するように下降させ、解放手段により輪部の保持を解放した後、輪部を残してケーシングスクリューを除去し、ワイヤロープを引っ張って杭を引抜く残存杭引抜き工法において、保持手段がケーシングスクリューの下端付近に設けた複数個の小孔１０に条体９を挿通して輪部を保持し、解放手段が解放用ロープ１９の途中をワイヤロープの輪部に沿わせて共に条体で結束しておいて、端部を地上側で引っ張ることにより条体を切断する。輪部はワイヤロープを２回巻きする。治具１は、テーブルと、輪部の部分を支持する内側支持部３と、その隙間８に対応して設けられケーシングスクリューの小孔から差し込まれる条体が輪部の部分を周回して折り返す案内部１１とを有する。【選択図】        図３
2010255300.tif 000002
【特許請求の範囲】
【請求項１】
使用するケーシングスクリューの下端部にその下端部円周に沿う状態に杭引抜き用ワイヤロープの一方端に小環を設け他端を挿通して形成した輪部を保持手段により予め保持させてあり、その保持手段は前記保持を解放する解放手段を備えており、地中に残存している杭の上側から前記ケーシングスクリューを杭の途中まで嵌合するように下降させ、前記解放手段によって前記輪部の保持を解放し、前記輪部を残して前記ケーシングスクリューを上昇させて除去し、地上側にある前記ワイヤロープの他方を引っ張ることにより残存杭の途中に嵌合して残された前記輪部に杭の途中を締め付け保持させて前記杭を引抜く残存杭引抜き工法において、前記保持手段が、ケーシングスクリューの下端付近に周方向に適当な間隔で半径方向に穿設した複数個の小孔に条体を挿通して前記輪部を保持し、前記解放手段が、前記保持を解放する解放用ロープの途中を前記ワイヤロープの輪部の部分に沿わせて共に結束状態に前記条体で締め付け保持し端部を地上側に位置させた構成であり、前記解放手段のロープは地上側で比較的強力に引っ張ることにより前記条体を切断状態にできるようにしてあることを特徴とする残存杭引抜き工法。
【請求項２】
前記ケーシングスクリューの下端に保持させてあるワイヤロープの一方端の前記輪部が、前記ワイヤロープを２回巻きしてワイヤロープ端の前記小環に他端を挿通して形成されることを特徴とする請求項１記載の残存杭引抜き工法。
【請求項３】
ケーシングスクリューの下端を支持するテーブルと、その下端支持状態における前記ケーシングスクリュー内側位置の前記テーブル上面に複数個が隙間を隔ててほぼ等間隔に凸設され杭引き抜き用ワイヤロープの輪部を形成するように環状に位置決め支持する内側支持部と、前記内側支持部の前記隙間に対応して前記環状に位置決め支持されるワイヤロープ内側位置の前記テーブル上面に凸設され前記ケーシングスクリュー下端部に穿設した小孔から差し込まれる前記条体が前記輪部の部分を周回して折り返すように案内される案内部と、を有することを特徴とする残存杭引抜き用ワイヤロープをケーシングスクリューに装着する治具。
【発明の詳細な説明】
【技術分野】
【０００１】
本発明は、既設のＰＣ杭等を抜く時に杭が途中で折れてその下部が地中に残った場合に、主に適用する地中残存杭の引抜き工法に関し、またその工法において使用する治具に関する。
【背景技術】
【０００２】
頭部が地表に出た杭の引抜き工法としては、例えば、特許文献１に見られるようなものがある。従来、杭抜き工法によって頭部が地表に出た杭を抜く際に、途中で杭が折れてその下部が地中に残ってしまうことがかなりの割合で発生していた。地中に折れ残った杭（以下残存杭と記す。）は、その場所に新たな構築物を設置する場合に新たに杭等を打ち込む時の邪魔になるから、残らず除去しておくことが好ましい。この残存杭の除去を確実に行うには、杭の直径の３〜４倍の直径のケーシングチューブを使用する全回転型オールケーシング掘削機を用い、残存杭の周辺を大きく余裕を持って掘り進むことによって破砕して除去することができる。しかし、大規模な工事となり、除去工事費が高くなる。別に、工事費があまり嵩まない従来の比較的小規模な残存杭の除去方法は、残存杭の外径より少し大きい内径のケーシングスクリューを用い、その下端の掘削用刃部（ケーシングパイプの下端に取り付けたフリクションカッター）に杭を引き抜くためのワイヤロープを針金により仮保持した状態で、残存杭の周を抱き込むように左右交互に回転させながら掘削するように下降させ、残存杭にワイヤロープを掛ける適当な位置で下降を停止させ、その位置でケーシングスクリューを左右交互に回転させるなどすることにより仮保持用針金による仮保持を解放する。そして、ケーシングスクリューを引き上げる。前記ケーシングスクリューの下端に仮保持してあったワイヤロープは、一端に小環を設けられたもので他端をその小環に挿通して引っ張ることにより杭を締め付け保持できるように投げ縄状に輪部を作ってあり、その輪部がケーシングスクリューと共に残存杭の外周に嵌まり込んで下降して来たものであり、仮保持を解放したことによりその位置に残る。つまり、ワイヤロープは下端部の輪部が残存杭の途中に嵌合し、他端が地上部にある状態である。従って他端を巻き上げ機等で引っ張ることにより輪部と杭の間の摩擦抵抗で輪部が小さくなって残存杭の途中を締め付け保持し、さらに引っ張ることで残存杭を引き抜くのである。
【先行技術文献】
【特許文献】
【０００３】
【特許文献１】特開平７−８２７４４号公報
【発明の概要】
【発明が解決しようとする課題】
【０００４】
前述した従来行われている小規模な残存杭の引抜き工法では、ワイヤロープ下端の輪部をケーシングスクリュー下端部に針金で仮保持する作業が熟練を要し、所望時に確実に解放できるとは限らない問題がある。つまり、針金による仮保持の状態は作業者によってそれぞれに異なり、仮保持の強弱、例えば針金を掛ける位置や曲げ加減の相違、針金の太さや強度の相違等、によって前記輪部が残存杭に嵌合しない間に解放されるとか、容易に解放されないという事態が起こる。また、仮保持の解放状態がケーシングスクリューを上昇させなければ確認できない問題や、杭を引抜く時にワイヤロープの輪部が確実に杭を締め付け保持出来ないでワイヤロープを引っ張る最初にあるいは途中で杭から外れてしまう問題もある。なお、この方法による残存杭の引抜きに失敗したときは、多くの場合杭が傾いてしまい、同じ方法ではケーシングスクリューで杭を内側に抱え込む掘削が不可能となり、引抜くことができなくなるので、本来は確実性が要求される作業である。
【０００５】
本発明は、前記小規模な残存杭の引抜き工法を改善して、熟練しなくてもワイヤロープをケーシングスクリュー下端部に確実且つ適切に保持することが容易にでき、また、保持を確実に解放でき、ワイヤロープの輪部が杭を確実に締め付けることができるようにする、つまり、小規模な残存杭の引抜き工法の成功率を大幅に向上させることを課題とする。
【課題を解決するための手段】
【０００６】
本発明の手段は、使用するケーシングスクリューの下端部にその下端部円周に沿う状態に杭引抜き用ワイヤロープの一方端に小環を設け他端を挿通して形成した輪部を保持手段により予め保持させてあり、その保持手段は前記保持を解放する解放手段を備えており、地中に残存している杭の上側から前記ケーシングスクリューを杭の途中まで嵌合するように下降させ、前記解放手段によって前記輪部の保持を解放し、前記輪部を残して前記ケーシングスクリューを上昇させて除去し、地上側にある前記ワイヤロープの他方を引っ張ることにより残存杭の途中に嵌合して残された前記輪部に杭の途中を締め付け保持させて前記杭を引抜く残存杭引抜き工法において、前記保持手段が、ケーシングスクリューの下端付近に周方向に適当な間隔で半径方向に穿設した複数個の小孔に条体を挿通して前記輪部を保持し、前記解放手段が、前記保持を解放する解放用ロープの途中を前記ワイヤロープの輪部の部分に沿わせて共に結束状態に前記条体で締め付け保持し端部を地上側に位置させた構成であり、前記解放手段のロープは地上側で比較的強力に引っ張ることにより前記条体を切断状態にできるようにしてあることを特徴とする（請求項１）。
【０００７】
この手段によると、保持手段が、ケーシングスクリューの下端付近に穿設した小孔を使用して条体でワイヤロープの輪部をケーシング下端部に締め付け固定してあるので、その輪部を確実に保持して残存杭の所望途中位置まで運ぶことができ、またその位置で解放手段のロープを引っ張ることにより条体を確実に切断状態として輪部を確実に解放するから、ケーシングスクリューを抜き去るときに杭引抜き用ワイヤロープの輪部がケーシングスクリューと共に移動することがなく、所望位置に確実に残る。
【０００８】
前記ケーシングスクリューの下端に保持させてあるワイヤロープの一方端の前記輪部が、前記ワイヤロープを２回巻きしてワイヤロープ端の前記小環に他端を挿通して形成される構成とするのがよい（請求項２）。
【０００９】
この構成によると、輪部が、ワイヤロープを２回巻きにしてあることにより、残存杭の途中に嵌合し単独で位置する状態でワイヤロープを地上側へ引っ張ったときに、従来の１回巻きに比べて杭の表面を滑り難く、確実に縮径して杭を締め付けるので、杭から輪部が外れることがなく、確実に杭を引抜くことができる。
【００１０】
また、本発明の方法に、残存杭引抜き用ワイヤロープをケーシングスクリューに装着する際に治具を使用し、その治具は、ケーシングスクリューの下端を支持するテーブルと、その下端支持状態における前記ケーシングスクリュー内側位置の前記テーブル上面に複数個が隙間を隔ててほぼ等間隔に凸設され杭引き抜き用ワイヤロープの輪部を形成するように環状に位置決め支持する内側支持部と、前記内側支持部の前記隙間に対応して前記環状に位置決め支持されるワイヤロープ内側位置の前記テーブル上面に凸設され前記ケーシングスクリュー下端部に穿設した小孔から差し込まれる前記条体が前記輪部の部分を周回して折り返すように案内される案内部と、を有することを特徴とする（請求項３）。
【００１１】
この治具の使用は、先ずテーブル上面の内側支持部を利用してワイヤロープの２重巻きの一巻き目の輪部を形成する。次にケーシングスクリューをテーブル上の所定位置に下降させ、二巻き目の輪部を刃部外側に形成し、その二巻き目の輪部に沿うようにケーシングスクリュー下部に解放手段のロープを１回巻きつける。ケーシングスクリューの小孔は予め刃と刃の間に対応して設けられており、ケーシングスクリューの下降時に、小孔の位置が案内部に対応した所定位置となるようにケーシングスクリュー回転位置を決める。その所定位置では、ケーシングスクリューの下端の幾つかの刃がテーブル上面に支えられており、刃と刃の間がケーシングスクリューの内側に連通し、その連通部に案内部と小孔が対応している。従って、小孔外側から条体を差し込むと、条体先端がワイヤロープの一巻き目の輪部の部分の上側を通り、案内部に当接して案内されて下方へそして外方へ方向を変え、つまり一巻き目のワイヤロープを周回する形で、刃と刃の間から出て来るかあるいは摘まみ出せる状態になり、先端を外側に出す。条体の出てきた先端部分と外側にある基端部分とを結合するのであるが、その時外側のワイヤロープの二巻き目の輪部と、１回巻きつけてある解放手段のロープと、を一緒に結束状態にして、締め付けると共に結合する。各小孔について同様に条体を適用すれば、ワイヤロープの輪部が解放手段のロープと共に複数の条体でケーシングスクリューの下部に保持される。解放手段のロープは、１回巻きつけた状態であるが、条体を結合締結した後で、巻きつけて出会った片側部分をその上を折り返してほぼ一回巻き戻し、他の片側部分に引き揃える。なお、ワイヤロープを１重回巻きとする場合には、その２巻目の輪部を省略して同様にすればよい。この治具の使用により、ワイヤロープの輪部を、ケーシングスクリュー下端部の好ましい保持位置に位置決めでき、その位置に複数箇所で夫々にケーシングスクリューの小孔から差し込まれる条体によってケーシングスクリュー下端部に保持できる。
【発明の効果】
【００１２】
請求項１に係る発明は、残存杭引抜き用ワイヤロープの輪部が、残存杭に嵌合し、残存杭の所望途中位置で確実にケーシングスクリューから解放され、その所望途中位置に確実に残され、ケーシングスクリューを除去するときに共に引き上げられることがない。従って、残存杭の引抜きの失敗が大幅に低減する効果を奏する。
請求項２に係る発明は、残存杭引抜き用ワイヤロープの輪部が残存杭に嵌合した状態でワイヤロープを地上側へ引っ張ったときに、輪部が殆ど滑らないで締まり、杭から輪部が外れることがなく、確実に杭を引抜くことができる効果を奏する。
請求項３に係る発明によれば、熟練を要しなくてもワイヤロープをケーシングスクリュー下端部に確実且つ適切に仮保持することが容易にできる効果を奏する。
【図面の簡単な説明】
【００１３】
【図１】本発明の工法の実施例で使用する治具の実施例を示し、（ａ）は平面図、（ｂ）は（ａ）のＡ−Ａ断面図である。
【図２】本発明の工法の実施例においてワイヤロープで輪部を治具上に形成する段階を示し、（ａ）は平面図、（ｂ）は（ａ）のＢ−Ｂ断面図である。
【図３】同実施例においてケーシングスクリューの下部にワイヤロープの輪部を保持させる状態を示し、（ａ）は治具上に載ったケーシングスクリューの下部の横断平面図（（ｂ）のＤ−Ｄ断面図）、（ｂ）は（ａ）のＣ−Ｏ−Ｃ断面図である。
【図４】同実施例においてワイヤロープと解放手段のロープとを保持させた状態を示し、（ａ）はケーシングスクリューの下部の横断平面図（（ｂ）のＦ−Ｆ断面図）、（ｂ）は（ａ）のＥ−Ｏ−Ｅ断面図である。
【図５】同実施例において輪部を保持したケーシングスクリューの下端部を示し、（ａ）は（ｂ）のＧ−Ｇ断面図、（ｂ）は（ａ）のＥ−Ｏ−Ｅ断面図である。
【図６】従来の工法による地上露出杭の引抜き方法の概略説明図でクレーン支持されたケーシングスクリューを示し、（ａ）は杭周りの掘削を始める状態の側面図、（ｂ）は杭の下端まで掘り進んだ状態の側面図、（ｃ）は掘削を終わって抜き出した状態を示す側面図である。
【図７】地中残存杭が発生した状態に続いて前記実施例の方法を説明する概略説明図でクレーン支持されたケーシングスクリュー等を示し、（ａ）は残存杭が発生した状態の側面図、（ｂ）はケーシングスクリューが下降する前の状態の側面図、（ｃ）は所定位置にケーシングスクリューが下降した状態の側面図である。
【図８】図７に続く概略説明図でクレーン支持されたケーシングスクリュー等を示し、（ａ）は輪部が残りケーシングスクリューが抜き出された状態の側面図、（ｂ）はワイヤロープを引っ張る前の状態を示す側面図、（ｃ）は残存杭が引抜かれた状態を示す側面図である。
【発明を実施するための形態】
【００１４】
使用するケーシングスクリューの下端部にその下端部円周に沿う状態に杭引抜き用ワイヤロープの一方端に小環を設け他端を挿通して形成した輪部を保持手段により予め保持させてあり、その保持手段は前記保持を解放する解放手段を備えており、地中に残存している杭の上側から前記ケーシングスクリューを杭の途中まで嵌合するように下降させ、前記解放手段によって前記輪部の保持を解放し、前記輪部を残して前記ケーシングスクリューを上昇させて除去し、地上側にある前記ワイヤロープの他方を引っ張ることにより残存杭の途中に嵌合して残された前記輪部に杭の途中を締め付け保持させて前記杭を引抜く残存杭引抜き工法において、前記保持手段が、ケーシングスクリューの下端付近に周方向に適当な間隔で半径方向に穿設した複数個の小孔に条体を挿通して前記輪部を保持し、前記解放手段が、前記保持を解放する解放用ロープの途中を前記ワイヤロープの輪部の部分に沿わせて共に結束状態に前記条体で締め付け保持し端部を地上側に位置させた構成であり、前記解放手段のロープは地上側で比較的強力に引っ張ることにより前記条体を切断状態にできるようにしてある。また、前記ケーシングスクリューの下端に保持させてあるワイヤロープの前記輪部が、前記ワイヤロープを２回巻きしてワイヤロープ端の前記小環に他端を挿通して形成されている構成とする。そして、残存杭引抜き用ワイヤロープの輪部をケーシングスクリューに装着する際に治具を使用する。その治具は、ケーシングスクリューの下端を支持するテーブルと、その下端支持状態における前記ケーシングスクリュー内側位置の前記テーブル上面に複数個が隙間を隔ててほぼ等間隔に凸設され杭引抜き用ワイヤロープの輪部を形成するように環状に位置決め支持する内側支持部と、前記内側支持部の前記隙間に対応して前記環状に位置決め支持されるワイヤロープ内側位置の前記テーブル上面に凸設され前記ケーシングスクリュー下端部に穿設した小孔から差し込まれる前記条体が前記輪部の部分を周回して折り返すように案内される案内部と、を有する構成とする。
【実施例】
【００１５】
本発明の１実施例を、図を用いて説明する。この工法は治具１を使用する。その治具１は、図１に示すように、テーブル２に、内側支持部３と、案内部４と、を設けたものである。テーブル２は、鋼板製で適当な厚さ寸法を有し、作業現場で上面を水平にして設置されるもので、図では円形に示してあるが、上面の広さが杭抜きに使用するケーシングスクリュー５の下端が余裕を持って支持される広さのものであればよく、特に形状は限定されない。内側支持部３は、テーブル２にケーシングスクリュー５の下端を支持した状態において、そのケーシングスクリュー５内側位置に対応して杭引抜き用ワイヤロープ６（以下ワイヤロープ６と記す）を輪に支持できるように、上面に凹所７を有するブロック状のものを複数個、例えば８個を隙間８を隔てて所定の円に沿って等間隔で配置し固定したものである。つまり、内側支持部３は凹所７にワイヤロープ６を載せることによって所定の大きさの環状に位置決め支持できるようになっている。案内部４は、ワイヤロープ６をケーシングスクリュー５に保持するための後述する条体９を、その使用時に案内するものであり、内側支持部３の間の隙間８に対応しており、環状に位置決め支持されるワイヤロープ６内側位置のテーブル２上面にブロック状に凸設され、ケーシングスクリュー５下端部に穿設した小孔１０から差し込まれる条体９が前記輪部の部分を周回して折り返すように案内される案内斜面１１を設けてある。
【００１６】
残存杭の引抜きには、通常の前述した小規模杭抜き工法に使用するケーシングスクリュー５を使用し、残存杭が発生した際に、治具１を使用して残存杭引抜き用のワイヤロープ６をケーシングスクリュー５に設置する。この点を少し説明しておくと、ケーシングスクリュー５はそれまで使用していたもの、すなわち、図６（ａ）、（ｂ）、（ｃ）に従来の杭抜き工法を示すように、ラフタークレーン１２を用いる比較的手軽なものである。図６（ａ）は抜こうとする杭３０の周りの掘削を始める状態であり、ケーシングスクリュー５が引抜こうとする杭３０の上に位置しており、この状態から杭３０の周りを掘削しながら下降して行き、（ｂ）は杭３０の下端まで掘り進んだ状態であり、（ｃ）は掘削を終わったケーシングスクリュー５を抜き出した状態を順次示している。これに続いて地上に出ている杭３０の上端に引抜き用のワイヤロープ（実施例のものとは端部の構成が異なる）３１を取り付けて引っ張り上げる。このとき杭が途中で半分に折れていた時に、あるいは折れた時に、杭の上半分３０ａが引き抜かれるが、下半分が地中に残り、図７（ａ）に示すように、残存杭１４となる。
【００１７】
図７（ａ）に示すような地中に折れ残った残存杭１４を引抜くのが、次に説明するこの実施例の残存杭引き抜き工法である。ケーシングスクリュー５の下端にワイヤロープ６の輪部１５を保持させる。このために治具１を使用する。図２（ａ）にみられるように、ワイヤロープ６の一方の端に予め形成した小環１６にワイヤロープ６の他端を挿通して輪部１５とする。輪部１５は２重巻きとしてその大きさは略ケーシングスクリュー５の下端部の円形に相当するものとする。そして図２（ａ）に示すように、小環１６を内側支持部３のやや外側に位置させ、その小環１６からワイヤロープ６他端に向かう部分が、内側支持部３間の一つの間隙８から内側に入り、順次各内側支持部３の凹所７に載せられ、一周して元の位置に戻った部分を先に通った間隙８を通って内側支持部３の外側に出され、さらにそのまま一周して小環１６に挿通した状態となり、他端側へ伸延しているようにする。ワイヤロープ６が隙間８を通る部分で交差するが、その交差状態の上下関係はいずれが上であってもよい。ワイヤロープ６の外側を一周している部分は、図示のように、やや拡大した状態にしておく。これはケーシングスクリュー５の下端を治具１上に載せるときに確実にケーシングスクリュー５の下敷きにならないように外側に位置させるためである。なお、図２にはケーシングスクリュー５の下端部を載置した状態を仮想線で示してある。
【００１８】
図２（ａ）、（ｂ）に示したように、ワイヤロープ６を治具１上に準備した後に、同図に仮想線で示したように、ケーシングスクリュー５を下降させ、その下端部を治具１上に載せる。ケーシングスクリュー５の下端部には掘削用の刃１７が例えば８個、周方向に、等間隔で配列され、下方に向かって凸出した状態に設けてあり、刃１７の下端がデーブル１上面に当接する。この時ケーシングスクリュー５の回転位置を、刃１７と刃１７の間が案内部４の位置に対応した、つまり内側支持部３の隙間８に対応した位置となるように調節する。ケーシングスクリュー５の下端部には予めワイヤロープ６の輪部１５を保持するための条体９が挿通される小孔１０を穿設してある。小孔１０の位置は、刃が取付けられた円筒部の下端縁近くで、刃１７と刃１７の間の略中間である。使用する条体９は、例えば直径が０．５ｍｍ程度の針金を使用するが、特に材質や断面形状等が制限されるものではなく、要は以下に述べる作業に支障がなければよい。
【００１９】
治具１上にケーシングスクリュー５の下端部が載せられた状態で、図３（ａ）、（ｂ）に示すように、ワイヤロープ６の２重巻きの外側部分１８を締め込むように操作してケーシングスクリュー５の下端部外周に添わせる。また、図３（ｂ）に示すように、ワイヤロープ６の保持を解放するための別に準備したロープ１９の途中部分をワイヤロープ６の外側部分１８の上に沿って一周した状態に配置する。そしてその状態で図３（ｂ）に矢印２０で示すように、小孔１０から条体９を差し込み、案内部４に先端が当接した状態でさらに押し込むと、条体９先端が案内斜面に従って下方へ向きを変え、さらに押しこむことによってテーブル２上面に沿って外側へ向かい、ケーシングスクリュー５の下端縁下側の刃１７と刃１７の間から外方へ出てくる。この条体９により、図４（ａ）、（ｂ）に示すように、ワイヤロープ６の２重巻きの内側と外側の部分１８及び解放用ロープ１９を結束するように締め付けてねじり固定する。８個の各小孔１０毎に同様に条体９で固定すれば、輪部１５の保持が完了する。図中、条体９による締め付け固定部を２１で示す。なお、図４（ｂ）では治具１の内側支持部３、案内部４の図示は省略してある。解放用ロープ１９は、ワイヤロープ６の２重巻きの輪部１５外側部分１８に沿って条体９で結束された状態であり、隣り合う一組の条体９の間で一周してきた両側の部分が出会っており、その一方を折り返して結束されている部分の上側を逆戻りさせ、他方と引き揃えた状態にする。
【００２０】
図５（ａ）、（ｂ）はワイヤロープ６の輪部１５を保持したケーシングスクリュー５を上昇させて治具１から離れた状態を示し、この状態で残存杭１４のある位置の上側に移動させて下降させる。ワイヤロープ６他方は杭引抜き用に車載されているウィンチ（図示せず）に連結され、図７（ｂ）にみられるように、解放用のロープ１９の端部側は別に用意したウインチ２２に巻き取るように連結されている。ケーシングスクリュー５を下降させる位置は、先の失敗した杭の引き抜き作業で掘削していた所であるから、中心位置を合わせて、例えば、ケーシングスクリュー５を交互に半回転くらいさせながら下降させることにより、比較的容易に残存杭１４を内側に抱き込むようにその所望の途中位置まで下降させることができる。もちろん下降に従ってワイヤロープ６とロープ１９は適当に緩められる。
【００２１】
図７（ｃ）に示すように、その所望下降位置で、ケーシングスクリュー５の下降と回転を停止させる。ウインチ２２により解放用ロープ１９の引き揃えた双方若しくは一方を引っ張る。なお、一方を引っ張る時は他方を固定しておく。これにより折り返し部分１９ａが移動し、条体９による保持を開放する。つまり、ロープ１９を引っ張ることにより折り返し部分１９ａで条体９と係合した状態となり、予め選択して決められた条体９の破断荷重を超えて引っ張ることで条体９を一本ずつ切断して行き、すべてが切断状態になってからロープ１９の折り返し部１９ａが地上へ出てくる。これによってケーシングスクリュー５に保持されていたワイヤロープ６が解放されたことが確認される。次にケーシングスクリュー５を上昇させると、図８（ａ）に示す状態になる。つまり、ケーシングスクリュー５は引き出され、ワイヤロープ６の輪部１５が残存杭１４の途中に勘合した状態で残る。
【００２２】
この状態でワイヤロープ６が残存杭１４の略真上に位置するように引き上げ用の最初の滑車２３の位置を図８（ｂ）に示すように調節し、車載ウインチを動作させてワイヤロープ６を引っ張ると、先ず輪部１５が縮小して残存杭１４の途中を締め付けた状態となり、続いて残存杭１４が引抜かれ始める。そして、図８（ｃ）に示すように、確実に残存杭１４が引抜かれる。
【００２３】
この実施例の工法によると、ケーシングスクリュー５の下端部にワイヤロープ６の輪部１５を保持させるために、ケーシングスクリュー５の下端部に小孔１０を設けてこれに条体９を挿通して保持するようにしたから、また、治具１を使用したから、殆ど熟練を要しない作業で保持作業を行うことができる。そしてこの輪部１５の保持状態は、条体９の締結によって必要な強度で保持でき、従って確実に残存杭１４に間嵌合させることができる。また、その輪部１５を保持した状態を開放するための手段が、解放用のロープ１９をワイヤロープ６の輪部１５と共に条体９で結束状態としてあり、地上側で引っ張ることによって解放用のロープ１９の折り返し部１９ａが個々の条体９に順次確実に係合するから、無理なく切断状態とすることができ、確実に解放できる。そして更に、ワイヤロープ６の輪部１５を２重巻きとしたから、杭との摩擦抵抗が大きくワイヤロープ６の地上側を引っ張ることにより確実に締まり、滑って杭から外れることがない。これ等のことによって、比較的安価な作業費用で、残存杭１４を確実に除去できる。
【符号の説明】
【００２４】
１            治具
２            テーブル
３            内側支持部
４            案内部
５            ケーシングスクリュー
６            ワイヤロープ
７            凹所
８            隙間
９            条体
１０          小孔
１１          案内斜面
１２          ラフタークレーン
１４          残存杭
１５          輪部
１６          小環
１７          刃
１８          外側部分
１９          ロープ（開放用）
１９ａ        折り返し部
２０          矢印
２１          締め付け固定部
２２          ウインチ
２３          滑車
３０          引抜こうとする杭
３０ａ        上半分
３１          ワイヤロープ
【図１】
2010255300.tif 000003
【図２】
2010255300.tif 000004
【図３】
2010255300.tif 000005
【図４】
2010255300.tif 000006
【図５】
2010255300.tif 000007
【図６】
2010255300.tif 000008
【図７】
2010255300.tif 000009
【図８】
2010255300.tif 000010